(57)【特許請求の範囲】
【請求項１】
ユーザ機器（ＵＥ）のワイヤレス通信の方法であって、
少なくとも１つの干渉信号を検出することと、
前記少なくとも1つの干渉信号から検出された干渉から推定すること、および、前記検出された干渉を干渉の既知のパターンと照合することによって前記少なくとも１つの干渉信号の特性を決定することと、前記特性が、少なくとも、Ｗｉ−Ｆｉワイヤレス技術またはロングタームエボリューション（ＬＴＥ（登録商標））ワイヤレス技術に従ったものとしての前記少なくとも1つの干渉信号の分類を含む、
前記少なくとも１つの干渉信号の各々の前記特性を示す情報をサービング発展型ノードＢ（ｅＮＢ）に送信することと
を備える、方法。
【請求項２】
前記少なくとも１つの干渉信号の前記特性が、前記少なくとも1つの干渉信号の前記分類に関する情報を備える、請求項１に記載の方法。
【請求項３】
前記送信された情報が、前記少なくとも１つの干渉信号の各々の強度、前記少なくとも１つの干渉信号の各々の周期性、前記少なくとも１つの干渉信号の各々の帯域幅、または前記少なくとも１つの干渉信号の各々の周波数のうちの少なくとも１つをさらに示す、請求項１に記載の方法。
【請求項４】
前記サービングｅＮＢからダウンリンク送信のためのダウンリンク割当てを受信することをさらに備え、ここにおいて、前記ダウンリンク割当てが、前記送信された情報に少なくとも部分的に基づく、請求項１に記載の方法。
【請求項５】
干渉を測定するための構成を受信することをさらに備え、前記構成が、前記送信された情報に基づく、請求項１に記載の方法。
【請求項６】
干渉を測定するための前記構成が、干渉測定リソースを示す無線リソース制御（ＲＲＣ）メッセージ中で受信される、請求項５に記載の方法。
【請求項７】
前記サービングｅＮＢからダウンリンク送信を受信することと、
前記少なくとも１つの干渉信号の各々のための前記決定された特性に基づいて、前記ダウンリンク送信を処理することと
をさらに備える、請求項１に記載の方法。
【請求項８】
ダウンリンク信号を受信することと、前記ダウンリンク信号が、前記サービングｅＮＢからのダウンリンク送信と前記少なくとも１つの干渉信号とを備える、
前記少なくとも１つの干渉信号の各々のための前記決定された特性に基づいて、前記ダウンリンク送信から前記少なくとも１つの干渉信号の干渉を緩和することと
をさらに備える、請求項１に記載の方法。
【請求項９】
ワイヤレス通信のためのユーザ機器（ＵＥ）であって、
少なくとも１つの干渉信号を検出するための手段と、
前記少なくとも1つの干渉信号から検出された干渉から推定すること、および、前記検出された干渉を干渉の既知のパターンと照合することによって前記少なくとも１つの干渉信号の特性を決定するための手段と、前記特性が、少なくとも、Ｗｉ−Ｆｉワイヤレス技術またはロングタームエボリューション（ＬＴＥ）ワイヤレス技術に従ったものとしての前記少なくとも1つの干渉信号の分類を含む、
前記少なくとも１つの干渉信号の各々の前記特性を示す情報をサービング発展型ノードＢ（ｅＮＢ）に送信するための手段と
を備える、ＵＥ。
【請求項１０】
発展型ノードＢ（ｅＮＢ）のワイヤレス通信の方法であって、
ユーザ機器（ＵＥ）から、前記ＵＥの少なくとも１つの干渉信号の各々の特性を示す情報を受信することと、前記情報が前記少なくとも1つの干渉信号に対応する干渉からの推定および前記干渉と干渉の既知のパターンとの照合に基づき、前記特性が、少なくとも、Ｗｉ−Ｆｉワイヤレス技術またはロングタームエボリューション（ＬＴＥ）ワイヤレス技術に従ったものとしての前記少なくとも1つの干渉信号の分類を含む、
前記少なくとも１つの干渉信号の各々の前記特性を示す前記受信された情報に少なくとも部分的に基づいて、前記ＵＥに情報を送ることと
を備える、方法。
【請求項１１】
前記送られる情報が、前記少なくとも１つの干渉信号を緩和するためのダウンリンク送信のためのダウンリンク割当てを備える、請求項１０に記載の方法。
【請求項１２】
前記送られる情報が、前記ＵＥによる干渉測定のための構成を備える、請求項１０に記載の方法。
【請求項１３】
前記少なくとも１つの干渉信号が前記ｅＮＢに知られていない、請求項１０に記載の方法。
【請求項１４】
発展型ノードＢ（ｅＮＢ）であって、
ユーザ機器（ＵＥ）から、前記ＵＥの少なくとも１つの干渉信号の各々の特性を示す情報を受信するための手段と、前記情報が前記少なくとも1つの干渉信号に対応する干渉からの推定および前記干渉と干渉の既知のパターンとの照合に基づき、前記特性が、少なくとも、Ｗｉ−Ｆｉワイヤレス技術またはロングタームエボリューション（ＬＴＥ）ワイヤレス技術に従ったものとしての前記少なくとも1つの干渉信号の分類を含む、
前記少なくとも１つの干渉信号の各々の前記特性を示す前記受信された情報に少なくとも部分的に基づいて、前記ＵＥに情報を送るための手段と
を備える、ｅＮＢ。
【請求項１５】
請求項１乃至８または１０乃至１３のいずれか一項に従った方法を行うためのコードを備える、ワイヤレス通信のためのコンピュータ実行可能コードを記憶するコンピュータ可読媒体。
【発明の詳細な説明】
【技術分野】
【０００１】
関連出願の相互参照
[0001]本出願は、その全体が参照により本明細書に明確に組み込まれる、２０１４年１０月３日に出願された「UE ASSISTED INTERFERENCE LEARNING」と題する米国仮出願第６２／０５９，８１５号、および２０１５年９月２５日に出願された「UE ASSISTED INTERFERENCE LEARNING」と題する米国特許出願第１４／８６６，３１８号の利益を主張する。
【０００２】
[0002]本開示は、一般に通信システムに関し、より詳細には、ユーザ機器（ＵＥ）支援型干渉学習に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。新生の電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]たとえば、競合ベース共有無線周波数スペクトル帯域を使用する、またはセルラーネットワークの異なる無線周波数スペクトル帯域（たとえば、認可無線周波数スペクトル帯域または無認可無線周波数スペクトル帯域）を介した、ワイヤレス通信では、異種タイプの協調されていない送信があり得る。そのような干渉は、たとえば、パブリックランドモバイルネットワーク（ＰＬＭＮ）からの無認可帯域を介した送信、Ｗｉ−Ｆｉ（登録商標）送信などを含み得る。無認可帯域では、異なるタイプの干渉が経験され得、サービング発展型ノードＢ（ｅＮＢ）は、ＵＥに影響を及ぼす干渉タイプに気づいていないことがある。したがって、本明細書で提示する態様は、ＵＥが干渉信号を検出し、干渉信号の干渉レベルおよび特性など、情報をサービングｅＮＢに報告する、ＵＥ支援型干渉学習を提供する。
【０００６】
[0006]本開示の一態様では、方法、コンピュータプログラム製品、および装置が提供される。本装置はＵＥであり得る。本装置は、少なくとも１つの干渉信号を検出する。さらに、本装置は、少なくとも１つの干渉信号の特性を決定する。特性は、少なくともワイヤレス技術のタイプを含む。本装置は、少なくとも１つの干渉信号の各々の特性を示す情報をサービングｅＮＢに送信する。
【０００７】
[0007]別の態様では、方法、コンピュータプログラム製品、および装置が提供される。本装置はｅＮＢであり得る。本装置は、ＵＥから、ＵＥの少なくとも１つの干渉信号の各々の特性を示す情報を受信する。特性は、少なくともワイヤレス技術のタイプを含む。本装置は、少なくとも１つの干渉信号の各々の特性を示す受信された情報に少なくとも部分的に基づいて、ＵＥに情報を送る。
【図面の簡単な説明】
【０００８】
【図１】[0008]ネットワークアーキテクチャの一例を示す図。
【図２】[0009]アクセスネットワークの一例を示す図。
【図３】[0010]アクセスネットワーク中の発展型ノードＢおよびユーザ機器の一例を示す図。
【図４】[0011]ダウンリンク信号と干渉信号とを受信するＵＥの図。
【図５】[0012]ＵＥ支援型干渉学習のために構成された例示的な方法／装置を示すための第１の図。
【図６】[0013]ＵＥ支援型干渉学習のために構成された例示的な方法／装置を示すための第２の図。
【図７】[0014]ワイヤレス通信の方法のフローチャート。
【図８】[0015]ワイヤレス通信の方法のフローチャートの別の部分。
【図９】[0016]例示的な装置における異なる手段／構成要素間のデータフローを示す概念データフロー図。
【図１０】[0017]処理システムを採用する装置のためのハードウェア実装形態の一例を示す図。
【図１１】[0018]ワイヤレス通信の別の方法のフローチャート。
【図１２】[0019]例示的な装置における異なる手段／構成要素間のデータフローを示す概念データフロー図。
【図１３】[0020]処理システムを採用する装置のためのハードウェア実装形態の一例を示す図。
【発明を実施するための形態】
【０００９】
[0021]添付の図面に関して以下に記載する発明を実施するための形態は、様々な構成を説明するものであり、本明細書で説明する概念が実施され得る構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００１０】
[0022]次に、様々な装置および方法に関して電気通信システムのいくつかの態様を提示する。これらの装置および方法を、以下の発明を実施するための形態において説明し、（「要素」と総称される）様々なブロック、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課せられる設計制約に依存する。
【００１１】
[0023]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１２】
[0024]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１３】
[0025]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者が容易に諒解するように、本開示全体にわたって提示する様々な概念は、回線交換サービスを提供するネットワークに拡張され得る。
【００１４】
[0026]Ｅ−ＵＴＲＡＮは、発展型ノードＢ（ｅＮＢ）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティ、またはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１５】
[0027]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、パブリックランドモバイルネットワーク（ＰＬＭＮ：public land mobile network）内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を集めることとを担当し得る。
【００１６】
[0028]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレージエリアおよび／または特定のカバレージエリアをサービスするｅＮＢサブシステムを指すことがある。さらに、「ｅＮＢ」、「基地局」、および「セル」という用語は、本明細書では互換的に使用され得る。
【００１７】
[0029]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課せられる全体的な設計制約に依存することになる。
【００１８】
[0030]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００１９】
[0031]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２０】
[0032]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトラム拡散技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２１】
[0033]ＬＴＥにおけるＤＬおよびＵＬデータは、リソースブロックとして編成され得る。リソースブロックは、シンボルによってサブキャリアの次元を有する。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。ＵＥは、ｅＮＢに制御情報を送信するために、制御セクション中のリソースブロックを割り当てられ得る。ＵＥは、ｅＮＢにデータを送信するために、データセクション中のリソースブロックをも割り当てられ得る。
【００２２】
[0034]ＵＥおよびｅＮＢのための無線プロトコルアーキテクチャは、３つのレイヤ、すなわち、レイヤ１と、レイヤ２と、レイヤ３とを含み得る。レイヤ１（Ｌ１レイヤ）は最下位レイヤであり、様々な物理レイヤ信号処理機能を実装する。Ｌ１レイヤは、物理レイヤと呼ばれることがある。レイヤ２（Ｌ２レイヤ）は、物理レイヤの上にあり、物理レイヤを介したＵＥとｅＮＢとの間のリンクを担当する。
【００２３】
[0035]ユーザプレーンでは、Ｌ２レイヤは、ネットワーク側のｅＮＢにおいて終端される、メディアアクセス制御（ＭＡＣ：media access control）サブレイヤと、無線リンク制御（ＲＬＣ：radio link control）サブレイヤと、パケットデータコンバージェンスプロトコル（ＰＤＣＰ：packet data convergence protocol）５１４サブレイヤとを含む。ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤの上にいくつかの上位レイヤを有し得る。
【００２４】
[0036]制御プレーンでは、ＵＥおよびｅＮＢのための無線プロトコルアーキテクチャは、制御プレーンのためのヘッダ圧縮機能がないことを除いて、物理レイヤおよびＬ２レイヤについて実質的に同じである。制御プレーンはまた、レイヤ３（Ｌ３レイヤ）中に無線リソース制御（ＲＲＣ）サブレイヤを含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２５】
[0037]図３は、アクセスネットワーク中でＵＥ３５０と通信しているｅＮＢ３１０のブロック図である。ＤＬでは、コアネットワークからの上位レイヤパケットが、コントローラ／プロセッサ３７５に与えられる。コントローラ／プロセッサ３７５は、Ｌ２レイヤの機能を実装する。ＤＬでは、コントローラ／プロセッサ３７５は、ヘッダ圧縮と、暗号化と、パケットのセグメンテーションおよび並べ替えと、論理チャネルとトランスポートチャネルとの間の多重化と、様々な優先度メトリックに基づくＵＥ３５０への無線リソース割振りとを行う。コントローラ／プロセッサ３７５はまた、ＨＡＲＱ動作と、紛失パケットの再送信と、ＵＥ３５０へのシグナリングとを担当する。
【００２６】
[0038]送信（ＴＸ）プロセッサ３１６は、Ｌ１レイヤ（すなわち、物理レイヤ）のための様々な信号処理機能を実装する。信号処理機能は、ＵＥ３５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成される。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられ得る。各送信機３１８ＴＸは、送信のためにそれぞれの空間ストリームでＲＦキャリアを変調し得る。
【００２７】
[0039]ＵＥ３５０において、各受信機３５４ＲＸは、それのそれぞれのアンテナ３５２を通して信号を受信する。各受信機３５４ＲＸは、ＲＦキャリア上に変調された情報を復元し、受信機（ＲＸ）プロセッサ３５６に情報を与える。ＲＸプロセッサ３５６は、Ｌ１レイヤの様々な信号処理機能を実装する。ＲＸプロセッサ３５６は、ＵＥ３５０に宛てられた任意の空間ストリームを復元するために、情報に対して空間処理を実行し得る。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、ｅＮＢ３１０によって送信される、可能性が最も高い信号コンスタレーションポイントを決定することによって復元され、復調される。これらの軟判定は、チャネル推定器３５８によって計算されるチャネル推定値に基づき得る。軟判定は、次いで、物理チャネル上でｅＮＢ３１０によって最初に送信されたデータと制御信号とを復元するために復号され、デインターリーブされる。データおよび制御信号は、次いでコントローラ／プロセッサ３５９に与えられる。
【００２８】
[0040]コントローラ／プロセッサ３５９はＬ２レイヤを実装する。コントローラ／プロセッサは、プログラムコードとデータとを記憶するメモリ３６０に関連付けられ得る。メモリ３６０はコンピュータ可読媒体と呼ばれることがある。ＵＬでは、コントローラ／プロセッサ３５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク３６２に与えられる。また、様々な制御信号がＬ３処理のためにデータシンク３６２に与えられ得る。コントローラ／プロセッサ３５９は、ＨＡＲＱ動作をサポートするために肯定応答（ＡＣＫ）および／または否定応答（ＮＡＣＫ）プロトコルを使用する誤り検出をも担当する。
【００２９】
[0041]ＵＬでは、データソース３６７は、コントローラ／プロセッサ３５９に上位レイヤパケットを与えるために使用される。データソース３６７は、Ｌ２レイヤの上のすべてのプロトコルレイヤを表す。ｅＮＢ３１０によるＤＬ送信に関して説明した機能と同様に、コントローラ／プロセッサ３５９は、ヘッダ圧縮と、暗号化と、パケットのセグメンテーションおよび並べ替えと、ｅＮＢ３１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ３５９はまた、ＨＡＲＱ動作と、紛失パケットの再送信と、ｅＮＢ３１０へのシグナリングとを担当する。
【００３０】
[0042]ｅＮＢ３１０によって送信される基準信号またはフィードバックからの、チャネル推定器３５８によって導出されるチャネル推定値は、適切なコーディングおよび変調方式を選択することと、空間処理を可能にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられ得る。各送信機３５４ＴＸは、送信のためにそれぞれの空間ストリームでＲＦキャリアを変調し得る。
【００３１】
[0043]ＵＬ送信は、ＵＥ３５０における受信機機能に関して説明した様式と同様の様式でｅＮＢ３１０において処理される。各受信機３１８ＲＸは、それのそれぞれのアンテナ３２０を通して信号を受信する。各受信機３１８ＲＸは、ＲＦキャリア上に変調された情報を復元し、ＲＸプロセッサ３７０に情報を与える。ＲＸプロセッサ３７０はＬ１レイヤを実装し得る。
【００３２】
[0044]コントローラ／プロセッサ３７５はＬ２レイヤを実装する。コントローラ／プロセッサ３７５は、プログラムコードとデータとを記憶するメモリ３７６に関連付けられ得る。メモリ３７６はコンピュータ可読媒体と呼ばれることがある。ＵＬでは、コントローラ／プロセッサ３７５は、ＵＥ３５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ３７５からの上位レイヤパケットはコアネットワークに与えられ得る。コントローラ／プロセッサ３７５は、ＨＡＲＱ動作をサポートするためにＡＣＫおよび／またはＮＡＣＫプロトコルを使用する誤り検出をも担当する。
【００３３】
[0045]図４は、ダウンリンク信号４１４と干渉信号４２４とを受信するＵＥの図４００である。いくつかの例では、ＵＥ４０２は、ダウンリンク信号４１４と干渉信号４２４とを含むダウンリンク送信４１６を受信し得る。ＵＥ４０２は、セル４１０のサービングｅＮＢ４１８からダウンリンク信号４１４を受信する。一例では、サービングセル４１０は、ＬＴＥ無認可（たとえば、無認可スペクトルのためのＬＴＥ認可支援型アクセス、無認可スペクトル上のＬＴＥスタンドアロンなど）通信システム（たとえば、無認可スペクトルを使用して展開されるＬＴＥシステム）の一部であり得る。ＵＥ４０２は、セル４２０の基地局（ＢＳ）／アクセスポイント（ＡＰ）４２８から干渉信号４２４を受信する。ＢＳ／ＡＰ４２８は、特定のワイヤレス技術に関連し得る。たとえば、ＢＳ／ＡＰ４２８は、ＬＴＥに関連するｅＮＢ、あるいはＷｉ−Ｆｉ８０２．１１ｎ、８０２．１１ａｃ、または８０２．１１ａｘに関連するＡＰであり得る。
【００３４】
[0046]ＬＴＥシステムのいくつかの展開では、ネットワークが、ＵＥにおいて経験される干渉に気づいていないことがある。たとえば、無認可ワイヤレススペクトルを使用する展開では、ＵＥに影響を及ぼすワイヤレス技術の異種タイプの協調されていない送信があり得る。第１の例では、信号４１４、４２４は、同じＰＬＭＮからのＬＴＥ無認可送信であり得る。そのような送信は、時間／周波数において同期しており、１つのサブフレームの時間グラニュラリティ(granularity)を有し得る。第２の例では、信号４１４、４２４は、（完全には協調されていないことがある）異なるＰＬＭＮからのＬＴＥ無認可送信であり得る。そのような送信は、時間／周波数において非同期であり、１つのサブフレームの時間グラニュラリティを有し得る。第３の例では、信号４１４、４２４は、異なるＷｉ−Ｆｉ送信であり得る。そのような送信は、時間的にバースト的であり得る。Ｗｉ−Ｆｉに関連するワイヤレス技術の例としては、Ｗｉ−Ｆｉ８０２．１１（２０ＭＨｚおよび４０ＭＨｚ）、Ｗｉ−Ｆｉ８０２．１１ａｃ（２０ＭＨｚ、４０ＭＨｚ、８０ＭＨｚ、および１６０ＭＨｚ）、およびＷｉ−Ｆｉ８０２．１１ａｘ（２．５ＭＨｚまたは５ＭＨｚグラニュラリティ）がある。そのようなシナリオでは、ｅＮＢ４１８は、ダウンリンク信号４１４をスケジュールするために、または干渉緩和の他の措置のために、干渉信号４２４を考慮に入れることが可能でないことがある。
【００３５】
[0047]図５は、ＵＥ支援型干渉学習のために構成された例示的な方法／装置を示すための第１の図５００である。ＵＥ５０２は、サービングセル５１０内にあり、サービングｅＮＢ５１８からダウンリンク信号５１４を受信する。その上、ＵＥ５０２は、ＵＥ５０２受信半径５２０内にあるＢＳ／ＡＰ５２８から干渉信号５２４を受信する。ダウンリンク信号５１４と干渉信号５２４とは、時間的に同時に受信される。ＢＳ／ＡＰ５２８は、異なるＰＬＭＮに関連するＬＴＥ  ｅＮＢであり得、Ｗｉ−Ｆｉ  ＡＰ、またはｅＮＢ５１８が干渉信号５２４に気づいていないような、ｅＮＢ５１８と協調されていないＢＳ／ＡＰであり得る。
【００３６】
[0048]例示的な構成では、ｅＮＢ５１８に干渉信号５２４の知識を与えるために、ＵＥ５０２は、ＢＳ／ＡＰ５２８からの干渉を検出し、推定し、測定し、および／または分類し得る。いくつかの例では、ＵＥ５０２は、たとえば、検出されたタイプおよび／または推定された干渉に基づいて、干渉信号５２４を検出し得る。ＵＥ５０２は、干渉レベル、干渉の特性、および／または干渉のタイプ（たとえば、ワイヤレス技術のタイプ）など、干渉信号５２４の特性をさらに決定し得る。いくつかの例では、ＵＥ５０２は、検出された干渉から推定すること、検出された干渉を干渉の既知のパターンと照合すること、または関連し得る任意の他の方法によって、特性を決定し得る。一例では、ＵＥ５０２は、干渉信号５２４中のＷｉ−Ｆｉプリアンブルを検出し得、ＢＳ／ＡＰ５２８を、Ｗｉ−Ｆｉワイヤレス技術（たとえば、８０２．１１ａ、８０２．１１ｎ、８０２．１１ａｃ、８０２．１１ａｘなど）のうちの１つに関連するＷｉ−Ｆｉ干渉物として分類し得る。別の例では、ＵＥ５０２は、干渉信号５２４が時間的にバースト的である（たとえば、１ｍｓではなく１００μｓ〜２００μｓ持続する）ことを検出し得、干渉信号５２４を（それのバースト的性質に基づいて）Ｗｉ−Ｆｉとして分類し得る。また別の例では、ＵＥ５０２は、干渉の帯域幅を決定し得、決定された帯域幅に基づいて（たとえば、決定された帯域幅に基づいて、Ｗｉ−Ｆｉワイヤレス技術８０２．１１ａ、８０２．１１ｎ、８０２．１１ａｃ、または８０２．１１ａｘのうちの１つとして）Ｗｉ−Ｆｉ干渉を分類し得る。また別の例では、ＵＥ５０２は、ＰＬＭＮ  ＩＤ、非同期ＬＴＥ無認可波形に基づいて、および／または干渉が１ｍｓの期間の間持続するので、干渉信号５２４が異なるＰＬＭＮからのＬＴＥ無認可干渉物であると決定し得る。上述の例では、ＵＥ５０２は、様々なワイヤレス技術に関連する干渉を推定するために、ＬＴＥ、Ｗｉ−Ｆｉ、および／または他のタイプの受信機を使用し得る。たとえば、ＵＥ５０２は、検出されたＷｉ−Ｆｉプリアンブルに基づいて干渉を決定または推定するとき、Ｗｉ−Ｆｉ受信機を使用し得る。別の例では、ＵＥ５０２は、干渉のバースト性または帯域幅に基づいて干渉を決定または推定するとき、ＬＴＥ受信機を使用し得る。
【００３７】
[0049]ＵＥ５０２は、干渉信号５２４の決定された特性（たとえば、干渉レベル、干渉の特性、および／またはワイヤレス技術のタイプなどの干渉のタイプ）を（たとえば、シグナリング５１６を介して）サービングｅＮＢ５１８に報告し得る。ＵＥ５０２は、干渉物の数をサービングｅＮＢ５１８に報告し得る。ＵＥ５０２は、干渉の強度、干渉の周期性（時間頻度）、および／または干渉の他の特性を報告し得る。
【００３８】
[0050]ＵＥ５０２および／またはｅＮＢ５１８は、通信性能を改善するために、決定された情報を使用し得る。たとえば、ｅＮＢ５１８は、受信された情報に基づいて、スケジューリングおよび／または干渉測定構成を改善し得る。別の例では、ＵＥ５０２は、決定された情報に基づいて、干渉推定／緩和／消去および／または復調／復号性能を改善し得る。
【００３９】
[0051]その上、ｅＮＢ５１８は、ウィンドウ競合（たとえば、通信を再試行する前の時間期間）を調整するために、干渉のタイプおよび／またはワイヤレス技術のタイプなど、ＵＥ５０２から受信する情報を利用し得る。たとえば、リッスンビフォアトークルールの下での無認可帯域中で動作する通信システム内で、送信することを試みるノード（たとえば、ｅＮＢ）は、媒体（たとえば、伝送スペクトル）を検知し、媒体が使用するために空いているかどうかを決定する必要がある。媒体が空いていない場合、ノードは、ある時間ウィンドウ、すなわち競合ウィンドウの後、再び競合する前、チャネル検知を再試行する。このウィンドウのこの持続時間は、静的、半静的または動的に調整され得る。
【００４０】
[0052]いくつかの例では、ｅＮＢ５１８は、ＵＥ５０２によって送信されたフィードバック（たとえば、干渉のタイプおよび／または干渉信号５２４のワイヤレス技術のタイプ）に基づいて、半静的にまたは動的にのいずれかで競合ウィンドウを最適化し得る。この最適化は、ＵＥ５０２によって観測および報告される衝突のタイプに関係し得る。たとえば、競合ウィンドウは、Ｗｉ−Ｆｉ干渉が報告された場合、ある方法で調整され、別のＬＴＥ−Ｕ干渉物が報告された場合、異なる方法で調整されて、最適化された性能にされ得る。例として、Ｗｉ−Ｆｉ干渉が検出された場合、競合ウィンドウは、Ｗｉ−Ｆｉネットワークへの過大な干渉を回避するために増加させられ得る。逆に、ＬＴＥ−Ｕ干渉が検出された場合、競合ウィンドウは、ＬＴＥ−Ｕユーザの間での媒体のより効率的な使用の機会を可能にするために、同じままであり得る（または最小限に調整され得る）。両方のシナリオでは、競合ウィンドウの調整は、干渉強度、所望の信号と干渉との間の相対強度、所望の送信への干渉の持続時間、または所望の送信への干渉の帯域幅に応じて決定され得る。いくつかの例では、ＵＥフィードバックは、競合ウィンドウ長さの決定のためにチャネル検知プロセスにも組み込まれる。
【００４１】
[0053] 図６は、ＵＥ支援型干渉学習のために構成された例示的な方法／装置を示すための第２の図６００である。いくつかの例では、ＢＳ／ＡＰ６４０、６５０、６６０、および６７０は、ＵＥ６０２受信半径６２０内のＷｉ−Ｆｉ  ＡＰおよび／またはＬＴＥ無認可ｅＮＢ干渉物であり得る。ＢＳ／ＡＰ６４０、６５０、６６０がＷｉ−Ｆｉ  ＡＰであり、ＢＳ／ＡＰ６７０がＬＴＥ無認可ｅＮＢ干渉物である場合の一例が提示されている。ＡＰ６５０は、８０２．１１ｎ  Ｗｉ−Ｆｉシステムであり得る。ＵＥ６０２は、ＡＰ６５０から干渉信号６５０ｉを受信し得る。干渉信号６５０ｉは、２０ＭＨｚまたは４０ＭＨｚの帯域幅を有し得、８０２．１１ｎ  Ｗｉ−Ｆｉ仕様に従い得る。ＡＰ６６０は、８０２．１１ａｃ  Ｗｉ−Ｆｉシステムであり得る。ＵＥ６０２は、ＡＰ６６０から干渉信号６６０ｉを受信し得る。干渉信号６６０ｉは、（展開に応じて）２０／４０／８０／１６０ＭＨｚの帯域幅を有し得、８０２．１１ａｃ  Ｗｉ−Ｆｉ仕様に従い得る。ＡＰ６４０は、（５ＭＨｚの帯域幅グラニュラリティをもつ）８０２．１１ａｘ  Ｗｉ−Ｆｉシステムであり得る。ＡＰ６４０がクリアチャネルアセスメント（ＣＣＡ）ゾーン６３０内にあるので、ＡＰ６４０とｅＮＢ６１８とは、ＵＥ６０２がＡＰ６４０から干渉を受信しないように互いに協調し得る。
【００４２】
[0054]この例では、サービングセル６１０のｅＮＢ６１８は、様々な干渉信号（たとえば、６５０ｉ、６６０ｉ、６７０ｉ）の知識を有しない。ＵＥ６０２は、検出された干渉に基づいて、干渉信号６５０ｉ、６６０ｉ、６７０ｉの各々を検出し、推定し、測定し、および／または分類し得る。代替的にまたは追加として、ＵＥ６０２は、干渉信号６５０ｉ、６６０ｉ、６７０ｉの特性を決定し得る。いくつかの例では、ＵＥ６０２は、検出された干渉から推定すること、検出された干渉を干渉の既知のパターンと照合すること、または関連し得る任意の他の方法によって、特性を決定し得る。決定された特性は、Ｗｉ−Ｆｉ８０２．１１ａ、Ｗｉ−Ｆｉ８０２．１１ｎ、Ｗｉ−Ｆｉ８０２．１１ａｃ、Ｗｉ−Ｆｉ８０２．１１ａｘ、ＬＴＥなど、ワイヤレス技術のタイプを含み得る。その上、特性は、ワイヤレス技術のタイプの展開に関する情報をさらに含み得る。たとえば、Ｗｉ−Ｆｉ８０２．１１ｎによる干渉信号の場合、決定された特性は、干渉信号が２０ＭＨｚまたは４０ＭＨｚの帯域幅を有するかどうかの指示を含み得る。
【００４３】
[0055]ＵＥ６０２は、改善された干渉緩和措置のために、干渉信号６５０ｉ、６６０ｉ、６７０ｉの特性（たとえば、ワイヤレス技術のタイプ、干渉レベル、干渉の特性、および／または干渉のタイプ）を示す情報を、（たとえば、アップリンクシグナリング６１６を介して）サービングｅＮＢ６１８に報告し得る。いくつかの例では、ＵＥ６０２および／またはｅＮＢ６１８は、干渉緩和／消去を改善するために、干渉信号の決定された特性、または（１つまたは複数の）干渉信号の特性を示す情報を利用し得る。一例では、ｅＮＢ６１８は、干渉信号の緩和／消去を改善するために、干渉信号の特性を示す報告された情報に基づいて、ＵＥ６０２へのダウンリンク割当てを調整し得る。たとえば、ｅＮＢ６１８は、干渉信号の帯域幅を回避するために、ダウンリンク信号６１４のためにスケジュールされた周波数リソースを変更し得る。別の例では、ｅＮＢ６１８は、干渉信号の存在下でのより良い復調／復号性能のために、ダウンリンク信号６１４のためのＭＣＳを変更し（たとえば、低下させ）得る。ｅＮＢ６１８は、ダウンリンク信号６１４のためにＵＥ６０２にダウンリンク割当てを送信し得る。ダウンリンク割当ては、スケジューリングとＭＣＳとを含み得、それらのうちの１つまたは複数が、受信された特性に基づいて、ｅＮＢ６１８によって決定され得る。ＵＥ６０２は、サービングｅＮＢ６１８からダウンリンク信号６１４のためのダウンリンク割当てを受信し、（たとえば、スケジュールされた周波数リソースおよび／またはＭＣＳに基づいて）それに応じてダウンリンク信号６１４を受信する。
【００４４】
[0056]一例では、ｅＮＢ６１８は、干渉信号の特性を示す報告された情報に基づいて、干渉を測定するための構成を決定し得る。たとえば、ＬＴＥ干渉信号の場合、干渉測定は、ＬＴＥ干渉信号の周期性に基づいて各サブフレームのために構成され得る。Ｗｉ−Ｆｉ干渉信号の場合、干渉測定は、Ｗｉ−Ｆｉのバースト送信により、より頻繁に実行され得る。ｅＮＢ６１８は、たとえば、各シンボルのための干渉測定を構成し得る。一例では、ｅＮＢ６１８は、ＲＲＣシグナリングメッセージを介して、ＵＥ６０２に干渉を測定するための構成を与え得る。干渉測定構成は、干渉測定リソース（ＩＭＲ：interference measurement resource）を示し得、干渉測定を実行するためのゼロ電力チャネル状態情報基準信号（ＺＰ−ＣＳＩ−ＲＳ：zero-power channel state information reference signal）を示し得る。
【００４５】
[0057]一例では、ＵＥ６０２は、サービングｅＮＢ６１８からの受信されたダウンリンク信号６１４を処理し得、干渉信号の決定された特性に基づいてダウンリンク信号６１４を処理し得る。ダウンリンク信号６１４の処理は、ダウンリンク信号６１４を復号／復調することを含み得る。一例では、ＵＥ６０２は、ダウンリンク信号６１４を復調および復号する前に、干渉信号の決定された特性に基づいて干渉を緩和（たとえば、減算、低減、消去）し得る。
【００４６】
[0058]図７は、ワイヤレス通信の方法のフローチャート７００である。図８は、フローチャート７００の別の部分である。本方法は、ＵＥ（たとえば、ＵＥ４０２、５０２、６０２など）によって実行され得る。
【００４７】
[0059]７０２において、干渉信号を検出する。図５を参照すると、ＵＥ５０２は、ＢＳ／ＡＰ５２８から経時的に干渉（たとえば、干渉信号）を検出し、推定し、測定し、および／または分類し得る。いくつかの例では、ＵＥ５０２は、検出および／または推定された干渉に基づいて、干渉信号５２４を検出し得る。ＵＥ５０２は、干渉レベル、干渉の特性、および／または干渉のタイプのうちの１つまたは複数を決定し得る。図６を参照すると、たとえば、サービングセル６１０のｅＮＢ６１８は、様々な干渉信号（たとえば、６５０ｉ、６６０ｉ、６７０ｉ）の知識を有しない。ＵＥ６０２は、検出および／または推定された干渉に基づいて、干渉信号６５０ｉ、６６０ｉ、６７０ｉの各々を検出し、推定し、測定し、および／または分類し得る。
【００４８】
[0060]７０４において、干渉信号の特性を決定する。たとえば、特性は、少なくともワイヤレス技術のタイプを含み得る。図５を参照すると、ＵＥ５０２は、干渉レベル、干渉の特性、および／または干渉のタイプ（たとえば、ワイヤレス技術のタイプ）など、干渉信号５２４の特性を決定し得る。いくつかの例では、ＵＥ５０２は、検出された干渉から推定すること、検出された干渉を干渉の既知のパターンと照合すること、または関連し得る任意の他の方法によって、特性を決定し得る。たとえば、ＵＥ５０２は、干渉信号５２４中のＷｉ−Ｆｉプリアンブルを検出し得、ＢＳ／ＡＰ５２８を、Ｗｉ−Ｆｉワイヤレス技術（たとえば、８０２．１１ａ、８０２．１１ｎ、８０２．１１ａｃ、８０２．１１ａｘなど）のうちの１つに関連するＷｉ−Ｆｉ干渉物として分類し得る。ＵＥ５０２は、干渉信号５２４が時間的にバースト的である（たとえば、１ｍｓではなく１００μｓ〜２００μｓ持続する）ことを検出し得、干渉信号５２４をそれのバースト的性質に基づいてＷｉ−Ｆｉとして分類し得る。また別の例では、ＵＥ５０２は、干渉の帯域幅を決定し得、決定された帯域幅に基づいて（たとえば、決定された帯域幅に基づいて、Ｗｉ−Ｆｉワイヤレス技術８０２．１１ａ、８０２．１１ｎ、８０２．１１ａｃ、または８０２．１１ａｘのうちの１つとして）Ｗｉ−Ｆｉ干渉を分類し得る。また別の例では、ＵＥ５０２は、ＰＬＭＮ  ＩＤ、非同期ＬＴＥ無認可波形に基づいて、および／または干渉が１ｍｓの期間の間持続するので、干渉信号５２４が異なるＰＬＭＮからのＬＴＥ無認可干渉物であると決定し得る。
【００４９】
[0061]たとえば、図６を参照すると、ＵＥ６０２は、干渉信号６５０ｉ、６６０ｉ、６７０ｉの特性を決定し得る。いくつかの例では、ＵＥ６０２は、検出された干渉から推定すること、検出された干渉を干渉の既知のパターンと照合すること、または関連し得る任意の他の方法によって、特性を決定し得る。決定された特性は、Ｗｉ−Ｆｉ８０２．１１ａ、Ｗｉ−Ｆｉ８０２．１１ｎ、Ｗｉ−Ｆｉ８０２．１１ａｃ、Ｗｉ−Ｆｉ８０２．１１ａｘ、ＬＴＥなど、ワイヤレス技術のタイプを含み得る。その上、特性は、ワイヤレス技術のタイプの展開に関する情報をさらに含み得る。たとえば、Ｗｉ−Ｆｉ８０２．１１ｎによる干渉信号の場合、推定された特性は、干渉信号が２０ＭＨｚまたは４０ＭＨｚの帯域幅を有するかどうかの指示を含み得る。
【００５０】
[0062]７０６において、干渉信号の特性を示す情報を送信する。たとえば、干渉信号の特性は、サービングｅＮＢに送信され得る。送信された情報は、たとえば、少なくとも１つの干渉信号の各々の強度、少なくとも１つの干渉信号の各々の周期性、少なくとも１つの干渉信号の各々の帯域幅、または少なくとも１つの干渉信号の各々の周波数のうちの少なくとも１つを示し得る。
【００５１】
[0063]たとえば、図５を参照すると、ＵＥ５０２は、干渉信号５２４の決定された特性（たとえば、干渉レベル、干渉の特性、および／またはワイヤレス技術のタイプなどの干渉のタイプ）を（たとえば、シグナリング５１６を介して）サービングｅＮＢ５１８に報告し得る。ＵＥ５０２は、干渉物の数をサービングｅＮＢ５１８に報告し得る。ＵＥ５０２は、干渉の強度、干渉の周期性（時間頻度）、および／または干渉の他の特性を報告し得る。
【００５２】
[0064]たとえば、図６を参照すると、ＵＥ６０２は、改善された干渉緩和措置のために、干渉信号６５０ｉ、６６０ｉ、６７０ｉの特性（たとえば、干渉レベル、干渉の特性、および／またはワイヤレス技術のタイプなどの干渉のタイプ）を示す情報を（たとえば、シグナリング６１６を介して）サービングｅＮＢ６１８に報告し得る。
【００５３】
[0065]７０８において、干渉を測定するための構成を受信する。構成は、（たとえば、ステップ７０６の）送信された情報に基づき得、ＵＥによって受信され得る。いくつかの例では、構成は、干渉測定リソースを示す無線リソース制御（ＲＲＣ）メッセージ中で受信され得る。いくつかの例では、構成は、干渉測定リソースを示すＲＲＣメッセージ中で受信され得る。
【００５４】
[0066]  一例では、ｅＮＢ６１８は、干渉信号の特性を示す報告された情報に基づいて、干渉を測定するための構成を決定し得る。たとえば、ＬＴＥ干渉信号の場合、干渉測定は、ＬＴＥ干渉信号の周期性に基づいて各サブフレームのために構成され得る。Ｗｉ−Ｆｉ干渉信号の場合、干渉測定は、Ｗｉ−Ｆｉのバースト送信により、より頻繁に実行され得る。ｅＮＢ６１８は、たとえば、各シンボルのための干渉測定を構成し得る。一例では、ｅＮＢ６１８は、ＲＲＣシグナリングメッセージを介して、ＵＥ６０２に干渉を測定するための構成を与え得る。干渉測定構成は、干渉測定リソース（ＩＭＲ）を示し得、干渉測定を実行するためのゼロ電力チャネル状態情報基準信号（ＺＰ−ＣＳＩ−ＲＳ）を示し得る。
【００５５】
[0067]７１０において、たとえば、サービングｅＮＢから、ダウンリンク送信のためのダウンリンク割当てを受信する。ダウンリンク割当ては、（たとえば、ステップ７０６の）送信された情報に基づき得る。たとえば、図６を参照すると、ＵＥ６０２および／またはｅＮＢ６１８は、干渉緩和／消去を改善するために、干渉信号の決定された特性、または（１つまたは複数の）干渉信号の特性を示す情報を利用し得る。一例では、ｅＮＢ６１８は、干渉信号の緩和／消去を改善するために、干渉信号の特性を示す報告された情報に基づいて、ＵＥ６０２へのダウンリンク割当てを調整し得る。たとえば、ｅＮＢ６１８は、干渉信号の帯域幅を回避するために、ダウンリンク信号６１４のためにスケジュールされた周波数リソースを変更し得る。別の例では、ｅＮＢ６１８は、干渉信号の存在下でのより良い復調／復号性能のために、ダウンリンク信号６１４のためのＭＣＳを変更し（たとえば、低下させ）得る。ｅＮＢ６１８は、ダウンリンク信号６１４のためにＵＥ６０２にダウンリンク割当てを送信し得る。ダウンリンク割当ては、スケジューリングとＭＣＳとを含み得、それらのうちの１つまたは複数が、受信された特性に基づいて、ｅＮＢ６１８によって決定され得る。
【００５６】
[0068]７１２において、たとえば、サービングｅＮＢから、ダウンリンク送信を受信する。たとえば、図５を参照すると、ＵＥ５０２は、ダウンリンク信号６１４を介してダウンリンク送信を受信し得る。たとえば、図６を参照すると、ＵＥ６０２は、ダウンリンク信号６１４を介してダウンリンク送信を受信し得る。
【００５７】
[0069]７１４において、たとえば、干渉信号の決定された特性に基づいて、ダウンリンク送信を処理する。たとえば、図５を参照すると、ＵＥ５０２および／またはｅＮＢ５１８は、通信性能を改善するために、決定された情報を使用し得る。たとえば、ｅＮＢ５１８は、受信された情報に基づいて、スケジューリングおよび／または干渉測定構成を改善し得る。別の例では、ＵＥ５０２は、決定された情報に基づいて、干渉推定／緩和／消去および／または復調／復号性能を改善し得る。
【００５８】
[0070]たとえば、図６を参照すると、ｅＮＢ６１８は、ダウンリンク信号６１４のためにＵＥ６０２にダウンリンク割当てを送信し得る。ダウンリンク割当ては、スケジューリングとＭＣＳとを含み得、それらのうちの１つまたは複数が、受信された特性に基づいて、ｅＮＢ６１８によって決定され得る。ＵＥ６０２は、サービングｅＮＢ６１８からダウンリンク信号６１４のためのダウンリンク割当てを受信し、（たとえば、スケジュールされた周波数リソースおよび／またはＭＣＳに基づいて）それに応じてダウンリンク信号６１４を受信する。一例では、ＵＥ６０２は、サービングｅＮＢ６１８からの受信されたダウンリンク信号６１４を処理し得、干渉信号の推定された特性に基づいてダウンリンク信号６１４を処理し得る。ダウンリンク信号６１４の処理は、ダウンリンク信号６１４を復号／復調することを含み得る。一例では、ＵＥ６０２は、ダウンリンク信号６１４を復調および復号する前に、干渉信号の推定された特性に基づいて干渉を緩和（たとえば、減算、低減、消去）し得る。
【００５９】
[0071]８０２において、たとえば、ＵＥによって、ダウンリンク信号を受信する。ダウンリンク信号は、サービングｅＮＢからのダウンリンク送信と少なくとも１つの干渉信号とを含み得る。たとえば、図６を参照すると、ＵＥ６０２は、サービングｅＮＢ６１８からダウンリンク信号６１４（たとえば、ダウンリンク送信）を含むダウンリンク信号を受信する。ダウンリンク信号は、干渉信号６５０ｉ、６６０ｉ、および／または６７０ｉをさらに含み得る。
【００６０】
[0072]８０４において、たとえば、干渉信号の決定された特性に基づいて、干渉信号を決定する。たとえば、図５を参照すると、ＵＥ５０２は、干渉信号５２４中のＷｉ−Ｆｉプリアンブルを検出し得、ＢＳ／ＡＰ５２８を、Ｗｉ−Ｆｉワイヤレス技術（たとえば、８０２．１１ａ、８０２．１１ｎ、８０２．１１ａｃ、８０２．１１ａｘなど）のうちの１つに関連するＷｉ−Ｆｉ干渉物として分類し得る。別の例では、ＵＥ５０２は、干渉信号５２４が時間的にバースト的である（たとえば、１ｍｓではなく１００μｓ〜２００μｓ持続する）ことを検出し得、干渉信号５２４をそれのバースト的性質に基づいてＷｉ−Ｆｉとして分類し得る。また別の例では、ＵＥ５０２は、干渉の帯域幅を決定し得、決定された帯域幅に基づいて（たとえば、決定された帯域幅に基づいて、Ｗｉ−Ｆｉワイヤレス技術８０２．１１ａ、８０２．１１ｎ、８０２．１１ａｃ、または８０２．１１ａｘのうちの１つとして）Ｗｉ−Ｆｉ干渉を分類し得る。また別の例では、ＵＥ５０２は、ＰＬＭＮ  ＩＤ、非同期ＬＴＥ無認可波形に基づいて、および／または干渉が１ｍｓの期間の間持続するので、干渉信号５２４が異なるＰＬＭＮからのＬＴＥ無認可干渉物であると決定し得る。
【００６１】
[0073]たとえば、図６を参照すると、ＵＥ６０２は、干渉信号６５０ｉ、６６０ｉ、６７０ｉの各々を検出し、推定し、測定し、および／または分類し得る。代替的にまたは追加として、ＵＥ６０２は、干渉信号６５０ｉ、６６０ｉ、６７０ｉの特性を決定し得る。いくつかの例では、ＵＥ６０２は、検出された干渉から推定すること、検出された干渉を干渉の既知のパターンと照合すること、または関連し得る任意の他の方法によって、特性を決定し得る。決定された特性は、Ｗｉ−Ｆｉ８０２．１１ａ、Ｗｉ−Ｆｉ８０２．１１ｎ、Ｗｉ−Ｆｉ８０２．１１ａｃ、Ｗｉ−Ｆｉ８０２．１１ａｘ、ＬＴＥなど、ワイヤレス技術のタイプを含み得る。その上、特性は、ワイヤレス技術のタイプの展開に関する情報をさらに含み得る。たとえば、Ｗｉ−Ｆｉ８０２．１１ｎによる干渉信号の場合、推定された特性は、干渉信号が２０ＭＨｚまたは４０ＭＨｚの帯域幅を有するかどうかの指示を含み得る。
【００６２】
[0074]８０６において、（干渉信号の決定された特性に基づき得る）決定された干渉信号に基づいて、たとえば、ダウンリンク送信から干渉信号の干渉を緩和する。たとえば、図５を参照すると、ＵＥ５０２および／またはｅＮＢ５１８は、通信性能を改善するために、決定された情報を使用し得る。たとえば、ｅＮＢ５１８は、受信された情報に基づいて、スケジューリングおよび／または干渉測定構成を改善し得る。別の例では、ＵＥ５０２は、決定された情報に基づいて、干渉推定／緩和／消去および／または復調／復号性能を改善し得る。
【００６３】
[0075]たとえば、図６を参照すると、ＵＥ６０２および／またはｅＮＢ６１８は、干渉緩和／消去を改善するために、干渉信号の決定された特性、または（１つまたは複数の）干渉信号の特性を示す情報を利用し得る。一例では、ｅＮＢ６１８は、干渉信号の緩和／消去を改善するために、干渉信号の特性を示す報告された情報に基づいて、ＵＥ６０２へのダウンリンク割当てを調整し得る。たとえば、ｅＮＢ６１８は、干渉信号の帯域幅を回避するために、ダウンリンク信号６１４のためにスケジュールされた周波数リソースを変更し得る。別の例では、ｅＮＢ６１８は、干渉信号の存在下でのより良い復調／復号性能のために、ダウンリンク信号６１４のためのＭＣＳを変更し（たとえば、低下させ）得る。ｅＮＢ６１８は、ダウンリンク信号６１４のためにＵＥ６０２にダウンリンク割当てを送信し得る。ダウンリンク割当ては、スケジューリングとＭＣＳとを含み得、それらのうちの１つまたは複数が、受信された特性に基づいて、ｅＮＢ６１８によって決定され得る。ＵＥ６０２は、サービングｅＮＢ６１８からダウンリンク信号６１４のためのダウンリンク割当てを受信し、（たとえば、スケジュールされた周波数リソースおよび／またはＭＣＳに基づいて）それに応じてダウンリンク信号６１４を受信する。
【００６４】
[0076]一例では、ｅＮＢ６１８は、干渉信号の特性を示す報告された情報に基づいて、干渉を測定するための構成を決定し得る。たとえば、ＬＴＥ干渉信号の場合、干渉測定は、ＬＴＥ干渉信号の周期性に基づいて各サブフレームのために構成され得る。Ｗｉ−Ｆｉ干渉信号の場合、干渉測定は、Ｗｉ−Ｆｉのバースト送信により、より頻繁に実行され得る。ｅＮＢ６１８は、たとえば、各シンボルのための干渉測定を構成し得る。一例では、ｅＮＢ６１８は、ＲＲＣシグナリングメッセージを介して、ＵＥ６０２に干渉を測定するための構成を与え得る。干渉測定構成は、干渉測定リソース（ＩＭＲ）を示し得、干渉測定を実行するためのゼロ電力チャネル状態情報基準信号（ＺＰ−ＣＳＩ−ＲＳ）を示し得る。
【００６５】
[0077]一例では、ＵＥ６０２は、サービングｅＮＢ６１８からの受信されたダウンリンク信号６１４を処理し得、干渉信号の推定された特性に基づいてダウンリンク信号６１４を処理し得る。ダウンリンク信号６１４の処理は、ダウンリンク信号６１４を復号／復調することを含み得る。一例では、ＵＥ６０２は、ダウンリンク信号６１４を復調および復号する前に、干渉信号の推定された特性に基づいて干渉を緩和（たとえば、減算、低減、消去）し得る。
【００６６】
[0078]図９は、例示的な装置９０２における異なる手段／構成要素間のデータフローを示す概念データフロー図９００である。本装置はＵＥ（たとえば、ＵＥ４０２、５０２、または６０２）であり得る。装置９０２は、受信構成要素９０４と、干渉緩和構成要素９０６と、送信構成要素９１０と、干渉信号検出構成要素９１２と、干渉信号特性推定構成要素９１４と、干渉信号推定構成要素９１６とを含む。
【００６７】
[0079]受信構成要素９０４は、サービングｅＮＢ９５０からダウンリンク信号を受信し、ＢＳ／ＡＰ９９０から干渉信号を受信し、信号情報を出力する。受信構成要素９０４は、ダウンリンク割当てまたは干渉を測定するための構成をさらに受信し得る。
【００６８】
[0080]干渉信号検出構成要素９１２は、受信構成要素９０４からの信号情報に基づいて、干渉信号を検出する。干渉信号検出構成要素９１２は、干渉信号特性推定構成要素９１４に干渉信号情報を出力し得る。
【００６９】
[0081]干渉信号特性推定構成要素９１４は、干渉信号検出構成要素９１２からの干渉信号情報および／または受信構成要素９０４からの信号情報に基づいて、干渉信号の特性を推定する。受信された情報に基づいて、干渉信号特性推定構成要素９１４は、干渉信号情報を出力し得る。
【００７０】
[0082]干渉信号推定構成要素９１６は、干渉信号情報に基づいて干渉信号を推定する。たとえば、干渉信号推定構成要素９１６は、様々な展開のＷｉ−Ｆｉ信号またはＬＴＥ無認可信号として干渉信号を推定し得る。干渉信号推定構成要素９１６は、推定された干渉信号をダウンリンク送信処理構成要素９０８に出力し得る。
【００７１】
[0083]干渉緩和構成要素９０６は、受信構成要素９０４から、ダウンリンク割当てまたは干渉を測定するための構成を受信する。受信された情報に基づいて、干渉緩和構成要素９０６は、干渉信号を緩和するための緩和情報を受信構成要素９０４に与える。
【００７２】
[0084]ダウンリンク送信処理構成要素９０８は、受信構成要素９０４から、ダウンリンク割当てまたは干渉を測定するための構成を受信する。受信された情報に基づいて、ダウンリンク送信処理構成要素９０８は、ダウンリンク信号を処理するための処理情報を受信構成要素９０４に与える。
【００７３】
[0085]送信構成要素９１０は、干渉信号の特性（たとえば、干渉信号推定構成要素９１６からの推定された干渉信号または干渉信号特性推定構成要素９１４からの干渉信号特性情報）を受信し得る。送信構成要素９１０は、干渉信号の受信された特性をｅＮＢ９５０に出力し得る。干渉信号の特性に基づいて、ｅＮＢ９５０は、ダウンリンク割当てまたは干渉を測定するための構成を受信構成要素９０４に出力し得る。
【００７４】
[0086] 本装置は、図７および図８の上述のフローチャート中のアルゴリズムのブロックの各々を実行する追加の構成要素を含み得る。したがって、図７および図８の上述のフローチャート中の各ブロックは１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７５】
[0087]図１０は、処理システム１０１４を採用する装置９０２’のためのハードウェア実装形態の一例を示す図１０００である。処理システム１０１４は、バス１０２４によって概略的に表されるバスアーキテクチャを用いて実装され得る。バス１０２４は、処理システム１０１４の特定の適用例および全体的な設計制約に応じて、任意の数の相互接続バスおよびブリッジを含み得る。バス１０２４は、プロセッサ１００４、構成要素９０４、９０６、９０８、９１０、９１２、９１４、９１６、およびコンピュータ可読媒体／メモリ１００６によって表される１つまたは複数のプロセッサおよび／またはハードウェア構成要素を含む様々な回路を互いにリンクする。バス１０２４はまた、タイミングソース、周辺機器、電圧調整器、および電力管理回路など、様々な他の回路をリンクし得るが、これらの回路は当技術分野においてよく知られており、したがって、これ以上説明しない。
【００７６】
[0088]処理システム１０１４はトランシーバ１０１０に結合され得る。トランシーバ１０１０は１つまたは複数のアンテナ１０２０に結合される。トランシーバ１０１０は、伝送媒体を介して様々な他の装置と通信するための手段を与える。トランシーバ１０１０は、１つまたは複数のアンテナ１０２０から信号を受信し、受信された信号から情報を抽出し、抽出された情報を処理システム１０１４、特に受信構成要素９０４に与える。さらに、トランシーバ１０１０は、処理システム１０１４、特に送信構成要素９１０から情報を受信し、受信された情報に基づいて、１つまたは複数のアンテナ１０２０に適用されるべき信号を生成する。処理システム１０１４は、コンピュータ可読媒体／メモリ１００６に結合されたプロセッサ１００４を含む。プロセッサ１００４は、コンピュータ可読媒体／メモリ１００６に記憶されたソフトウェアの実行を含む一般的な処理を担当する。ソフトウェアは、プロセッサ１００４によって実行されたとき、処理システム１０１４に、特定の装置のための上記で説明した様々な機能を実行させる。コンピュータ可読媒体／メモリ１００６はまた、ソフトウェアを実行するときにプロセッサ１００４によって操作されるデータを記憶するために使用され得る。処理システムは、構成要素９０６、９０８、９１２、９１４、および９１６のうちの少なくとも１つをさらに含む。それらの構成要素は、プロセッサ１００４中で動作し、コンピュータ可読媒体／メモリ１００６中に常駐する／記憶されたソフトウェア構成要素であるか、プロセッサ１００４に結合された１つまたは複数のハードウェア構成要素であるか、またはそれらの何らかの組合せであり得る。処理システム１０１４は、ＵＥ３５０の構成要素であり得、メモリ３６０、および／またはＴＸプロセッサ３６８と、ＲＸプロセッサ３５６と、コントローラ／プロセッサ３５９とのうちの少なくとも１つを含み得る。
【００７７】
[0089]一構成では、ワイヤレス通信のための装置９０２／９０２’は、少なくとも１つの干渉信号を検出するための手段と、少なくとも１つの干渉信号の特性を推定するための手段とを含む。特性は、少なくともワイヤレス技術のタイプを含む。本装置は、少なくとも１つの干渉信号の各々の特性を示す情報をサービングｅＮＢに送信するための手段をさらに含む。本装置は、サービングｅＮＢからダウンリンク送信のためのダウンリンク割当てを受信するための手段をさらに含み得る。ダウンリンク割当ては、送信された情報に基づき得る。本装置は、干渉を測定するための構成を受信するための手段をさらに含み得る。構成は、送信された情報に基づき得る。本装置は、サービングｅＮＢからダウンリンク送信を受信するための手段と、少なくとも１つの干渉信号の各々のための推定された特性に基づいてダウンリンク送信を処理するための手段とをさらに含み得る。一構成では、本装置は、ダウンリンク信号を受信するための手段をさらに含み得る。ダウンリンク信号は、サービングｅＮＢからのダウンリンク送信と少なくとも１つの干渉信号とを含む。本装置は、少なくとも１つの干渉信号の各々のための推定された特性に基づいて、少なくとも１つの干渉信号を推定するための手段と、（少なくとも１つの干渉信号の各々のための推定された特性に基づき得る）推定された少なくとも１つの干渉信号に基づいて、ダウンリンク送信からの少なくとも１つの干渉信号の干渉を緩和するための手段とをさらに含み得る。上述の手段は、上述の手段によって具陳された機能を実行するように構成された、装置９０２’の処理システム１０１４および／または装置９０２の上述の構成要素のうちの１つまたは複数であり得る。上記で説明したように、処理システム１０１４は、ＴＸプロセッサ３６８と、ＲＸプロセッサ３５６と、コントローラ／プロセッサ３５９とを含み得る。したがって、一構成では、上述の手段は、上述の手段によって具陳された機能を実行するように構成された、ＴＸプロセッサ３６８と、ＲＸプロセッサ３５６と、コントローラ／プロセッサ３５９とであり得る。
【００７８】
[0090]図１１は、ワイヤレス通信の方法のフローチャート１１００である。本方法は、ｅＮＢ（たとえば、サービングｅＮＢ５１８、６１８）によって実行され得る。１１０２において、ＵＥから干渉信号特性を示す情報を受信する。たとえば、ｅＮＢは、ＵＥから、ＵＥの少なくとも１つの干渉信号の各々の特性を示す情報を受信し得る。したがって、ｅＮＢは、ＵＥにおいて経験される干渉信号に関する情報を受信した。特性は、少なくともワイヤレス技術のタイプを含み得る。受信された情報は、たとえば、少なくとも１つの干渉信号の各々の強度、少なくとも１つの干渉信号の各々の周期性、少なくとも１つの干渉信号の各々の帯域幅、または少なくとも１つの干渉信号の各々の周波数のうちの少なくとも１つを示し得る。いくつかの例では、ＬＴＥ無認可信号またはＷｉ−Ｆｉ信号など、干渉信号は、ｅＮＢまたはネットワークに知られていないことがある。
【００７９】
[0091]たとえば、図５を参照すると、ｅＮＢ５１８は、サービングｅＮＢ５１８への干渉信号５２４の決定された特性（たとえば、干渉レベル、干渉の特性、および／またはワイヤレス技術のタイプなどの干渉のタイプ）を（たとえば、シグナリング５１６を介して）ＵＥ５０２から受信し得る。ＵＥ５０２は、干渉物の数をサービングｅＮＢ５１８に報告し得る。ＵＥ５０２は、干渉の強度、干渉の周期性（時間頻度）、および／または干渉の他の特性を報告し得る。
【００８０】
[0092]たとえば、図６を参照すると、ｅＮＢ６１８は、改善された干渉緩和措置のために、サービングｅＮＢ６１８への干渉信号６５０ｉ、６６０ｉ、６７０ｉの特性（たとえば、干渉レベル、干渉の特性、および／またはワイヤレス技術のタイプなどの干渉のタイプ）を示す情報を（たとえば、シグナリング６１６を介して）ＵＥ６０２から受信し得る。
【００８１】
[0093]１１０４において、受信された情報に基づいて、たとえば、ＵＥに情報を送る。たとえば、ｅＮＢは、少なくとも１つの干渉信号の各々の特性を示す受信された情報に基づいて、ＵＥに情報を送り得る。図５を参照すると、ｅＮＢ５１８は、干渉を測定するための構成を（たとえば、ダウンリンク信号５１４を介して）ＵＥ５０２に送信し得る。構成は、（たとえば、ステップ７０２の）受信された情報に基づき得る。いくつかの例では、構成は、干渉測定リソースを示す無線リソース制御（ＲＲＣ）メッセージ中で送信され得る。
【００８２】
[0094]図６を参照すると、一例では、ｅＮＢ６１８は、干渉信号の特性を示す報告された情報に基づいて、干渉を測定するための構成を決定し得る。たとえば、ＬＴＥ干渉信号の場合、干渉測定は、ＬＴＥ干渉信号の周期性に基づいて各サブフレームのために構成され得る。Ｗｉ−Ｆｉ干渉信号の場合、干渉測定は、Ｗｉ−Ｆｉのバースト送信により、より頻繁に実行され得る。ｅＮＢ６１８は、たとえば、各シンボルのための干渉測定を構成し得る。一例では、ｅＮＢ６１８は、ＲＲＣシグナリングメッセージを介して、ＵＥ６０２に干渉を測定するための構成を与え得る。干渉測定構成は、干渉測定リソース（ＩＭＲ）を示し得、干渉測定を実行するためのゼロ電力チャネル状態情報基準信号（ＺＰ−ＣＳＩ−ＲＳ）を示し得る。
【００８３】
[0095]いくつかの例では、ｅＮＢは、ダウンリンク割当てを含む情報をＵＥに送り得る。ダウンリンク割当ては、（たとえば、ステップ７０２の）受信された情報に基づき得る。たとえば、図６を参照すると、ｅＮＢ６１８は、干渉信号の緩和／消去を改善するために、干渉信号の特性を示す報告された情報に基づいて、ＵＥ６０２へのダウンリンク割当てを調整し得る。たとえば、ｅＮＢ６１８は、干渉信号の帯域幅を回避するために、ダウンリンク信号６１４のためにスケジュールされた周波数リソースを変更し得る。別の例では、ｅＮＢ６１８は、干渉信号の存在下でのより良い復調／復号性能のために、ダウンリンク信号６１４のためのＭＣＳを変更し（たとえば、低下させ）得る。ｅＮＢ６１８は、ダウンリンク信号６１４のためにＵＥ６０２にダウンリンク割当てを送信し得る。ダウンリンク割当ては、スケジューリングとＭＣＳとを含み得、それらのうちの１つまたは複数が、受信された特性に基づいて、ｅＮＢ６１８によって決定され得る。
【００８４】
[0096]１１０６において、競合ウィンドウを調整する。たとえば、図５を参照すると、サービングｅＮＢ５１８からのダウンリンク送信（たとえば、ダウンリンク信号５１４）の競合ウィンドウは、ＵＥ５０２によって報告された干渉信号５２４に関する情報（たとえば、干渉のタイプおよび／またはワイヤレス技術のタイプ）に基づいて調整され得る。たとえば、ｅＮＢ５１８は、ＵＥ５０２がＷｉ−Ｆｉ干渉を報告する場合、競合ウィンドウをある方法で調整し、ＵＥ５０２が別のＬＴＥ−Ｕを報告する場合、競合ウィンドウを異なる方法で調整して、最適化された性能にし得る。いくつかの例では、ＵＥフィードバックは、競合ウィンドウ長さの決定のためにチャネル検知プロセスにも組み込まれる。
【００８５】
[0097]図１２は、例示的な装置１２０２における異なる手段／構成要素間のデータフローを示す概念データフロー図１２００である。本装置は、ｅＮＢ（たとえば、サービングｅＮＢ５１８、６１８）であり得る。本装置は、受信構成要素１２０４と、情報生成構成要素１２０６と、競合ウィンドウ調整構成要素１２０８と、送信構成要素１２１０とを含む。
【００８６】
[0098]受信構成要素１２０４は、ＵＥ１２５０から干渉信号の特性を受信し、情報生成構成要素１２０６に情報を与える。たとえば、（１つまたは複数の）干渉信号に関する情報の受信は、図１１に関して説明したものと同様であり得る。干渉信号の特性に基づいて、情報生成構成要素１２０６は、干渉信号の特性に基づく（干渉測定のための構成またはダウンリンク送信のためのスケジューリング情報などの）情報を生成する。競合ウィンドウ調整構成要素１２０８は、受信構成要素１２０４から、干渉信号の特性または干渉信号のワイヤレス技術のタイプなど、干渉信号の特性を受信する。情報に基づいて、競合ウィンドウ調整構成要素１２０８は、（図１１において説明したように）競合ウィンドウ調整を生成し、送信構成要素１２１０に調整を与え得る。
【００８７】
[0099]送信構成要素１２１０は、ＵＥ１２５０への干渉信号の特性または図１１に関して説明したような競合ウィンドウ動作に基づく情報を送信する。
【００８８】
[00100]本装置は、図１１の上述のフローチャート中のアルゴリズムのブロックの各々を実行する追加の構成要素を含み得る。したがって、図１１の上述のフローチャート中の各ブロックは１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８９】
[00101]図１３は、処理システム１３１４を採用する装置１２０２’のためのハードウェア実装形態の一例を示す図１３００である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４、構成要素１２０４、１２０６、１２０８、１２１０、およびコンピュータ可読媒体／メモリ１３０６によって表される１つまたは複数のプロセッサおよび／またはハードウェア構成要素を含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００９０】
[00102]処理システム１３１４はトランシーバ１３１０に結合され得る。トランシーバ１３１０は１つまたは複数のアンテナ１３２０に結合される。トランシーバ１３１０は、伝送媒体を介して様々な他の装置と通信するための手段を与える。トランシーバ１３１０は、１つまたは複数のアンテナ１３２０から信号を受信し、受信された信号から情報を抽出し、抽出された情報を処理システム１３１４、特に受信構成要素１２０４に与える。さらに、トランシーバ１３１０は、処理システム１３１４、特に送信構成要素１２１０から情報を受信し、受信された情報に基づいて、１つまたは複数のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む一般的な処理を担当する。ソフトウェアは、プロセッサ１３０４によって実行されたとき、処理システム１３１４に、特定の装置のための上記で説明した様々な機能を実行させる。コンピュータ可読媒体／メモリ１３０６はまた、ソフトウェアを実行するときにプロセッサ１３０４によって操作されるデータを記憶するために使用され得る。処理システムは、構成要素１２０４、１２０６、１２０８、および１２１０のうちの少なくとも１つをさらに含む。それらの構成要素は、プロセッサ１３０４中で動作し、コンピュータ可読媒体／メモリ１３０６中に常駐する／記憶されたソフトウェア構成要素であるか、プロセッサ１３０４に結合された１つまたは複数のハードウェア構成要素であるか、またはそれらの何らかの組合せであり得る。（発明がｅＮＢに存在する場合を含む）処理システム１３１４は、ｅＮＢ３１０の構成要素であり得、メモリ３７６、および／またはＴＸプロセッサ３１６と、ＲＸプロセッサ３７０と、コントローラ／プロセッサ３７５とのうちの少なくとも１つを含み得る。
【００９１】
[00103]一構成では、ワイヤレス通信のための装置１２０２／１２０２’は、ＵＥから、ＵＥの少なくとも１つの干渉信号の各々の特性を示す情報を受信するための手段を含む。特性は、少なくともワイヤレス技術のタイプを含み得る。本装置は、少なくとも１つの干渉信号の各々の特性を示す受信された情報に基づいて、ＵＥに情報を送るための手段をさらに含む。上述の手段は、上述の手段によって具陳された機能を実行するように構成された、装置１２０２’の処理システム１３１４、および／または装置１２０２の上述の構成要素のうちの１つまたは複数であり得る。上記で説明したように、処理システム１３１４は、ＴＸプロセッサ３１６と、ＲＸプロセッサ３７０と、コントローラ／プロセッサ３７５とを含み得る。したがって、一構成では、上述の手段は、上述の手段によって具陳された機能を実行するように構成された、ＴＸプロセッサ３１６と、ＲＸプロセッサ３７０と、コントローラ／プロセッサ３７５とであり得る。
【００９２】
[00104]開示したプロセス／フローチャートにおけるブロックの特定の順序または階層は、例示的な手法の一例であることを理解されたい。設計選好に基づいて、プロセス／フローチャートにおけるブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【００９３】
[00105]以上の説明は、当業者が本明細書で説明した様々な態様を実施できるようにするために与えられた。これらの態様への様々な変更は当業者には容易に明らかであり、本明細書で定義された一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明したいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示するいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
ユーザ機器（ＵＥ）のワイヤレス通信の方法であって、
少なくとも１つの干渉信号を検出することと、
前記少なくとも１つの干渉信号の特性を決定することと、前記特性が、少なくともワイヤレス技術のタイプを含む、
前記少なくとも１つの干渉信号の各々の前記特性を示す情報をサービング発展型ノードＢ（ｅＮＢ）に送信することと
を備える、方法。
［Ｃ２］
前記少なくとも１つの干渉信号の前記特性が、ワイヤレス技術の前記タイプに関する情報を備える、Ｃ１に記載の方法。
［Ｃ３］
前記送信された情報が、前記少なくとも１つの干渉信号の各々の強度、前記少なくとも１つの干渉信号の各々の周期性、前記少なくとも１つの干渉信号の各々の帯域幅、または前記少なくとも１つの干渉信号の各々の周波数のうちの少なくとも１つをさらに示す、Ｃ１に記載の方法。
［Ｃ４］
前記サービングｅＮＢからダウンリンク送信のためのダウンリンク割当てを受信することをさらに備え、ここにおいて、前記ダウンリンク割当てが、前記送信された情報に少なくとも部分的に基づく、Ｃ１に記載の方法。
［Ｃ５］
干渉を測定するための構成を受信することをさらに備え、前記構成が、前記送信された情報に基づく、Ｃ１に記載の方法。
［Ｃ６］
干渉を測定するための前記構成が、干渉測定リソースを示す無線リソース制御（ＲＲＣ）メッセージ中で受信される、Ｃ５に記載の方法。
［Ｃ７］
前記サービングｅＮＢからダウンリンク送信を受信することと、
前記少なくとも１つの干渉信号の各々のための前記決定された特性に基づいて、前記ダウンリンク送信を処理することと
をさらに備える、Ｃ１に記載の方法。
［Ｃ８］
ダウンリンク信号を受信することと、前記ダウンリンク信号が、前記サービングｅＮＢからのダウンリンク送信と前記少なくとも１つの干渉信号とを備える、
前記少なくとも１つの干渉信号の各々のための前記決定された特性に基づいて、前記ダウンリンク送信から前記少なくとも１つの干渉信号の干渉を緩和することと
をさらに備える、Ｃ１に記載の方法。
［Ｃ９］
ワイヤレス通信のための装置であって、
メモリと、
前記メモリに結合された少なくとも１つのプロセッサと
を備え、前記少なくとも１つのプロセッサは、
少なくとも１つの干渉信号を検出することと、
前記少なくとも１つの干渉信号の特性を決定することと、前記特性が、少なくともワイヤレス技術のタイプを含む、
前記少なくとも１つの干渉信号の各々の前記特性を示す情報をサービング発展型ノードＢ（ｅＮＢ）に送信することと
を行うように構成された、装置。
［Ｃ１０］
前記少なくとも１つの干渉信号の前記特性が、ワイヤレス技術の前記タイプに関する情報を備える、Ｃ９に記載の装置。
［Ｃ１１］
前記送信された情報が、前記少なくとも１つの干渉信号の各々の強度、前記少なくとも１つの干渉信号の各々の周期性、前記少なくとも１つの干渉信号の各々の帯域幅、または前記少なくとも１つの干渉信号の各々の周波数のうちの少なくとも１つをさらに示す、Ｃ９に記載の装置。
［Ｃ１２］
前記少なくとも１つのプロセッサが、前記サービングｅＮＢからダウンリンク送信のためのダウンリンク割当てを受信するようにさらに構成され、ここにおいて、前記ダウンリンク割当てが、前記送信された情報に少なくとも部分的に基づく、Ｃ９に記載の装置。
［Ｃ１３］
前記少なくとも１つのプロセッサが、干渉を測定するための構成を受信するようにさらに構成され、前記構成が、前記送信された情報に基づく、Ｃ９に記載の装置。
［Ｃ１４］
前記少なくとも１つのプロセッサが、干渉測定リソースを示す無線リソース制御（ＲＲＣ）メッセージ中で干渉を測定するための前記構成を受信するようにさらに構成された、Ｃ１３に記載の装置。
［Ｃ１５］
前記少なくとも１つのプロセッサが、
前記サービングｅＮＢからダウンリンク送信を受信することと、
前記少なくとも１つの干渉信号の各々のための前記決定された特性に基づいて、前記ダウンリンク送信を処理することと
を行うようにさらに構成された、Ｃ９に記載の装置。
［Ｃ１６］
前記少なくとも１つのプロセッサは、
ダウンリンク信号を受信することと、前記ダウンリンク信号が、前記サービングｅＮＢからのダウンリンク送信と前記少なくとも１つの干渉信号とを備える、
前記少なくとも１つの干渉信号の各々のための前記決定された特性に基づいて、前記ダウンリンク送信から前記少なくとも１つの干渉信号の干渉を緩和することと
を行うようにさらに構成された、Ｃ９に記載の装置。
［Ｃ１７］
ワイヤレス通信のための装置であって、
少なくとも１つの干渉信号を検出するための手段と、
前記少なくとも１つの干渉信号の特性を決定するための手段と、前記特性が、少なくともワイヤレス技術のタイプを含む、
前記少なくとも１つの干渉信号の各々の前記特性を示す情報をサービング発展型ノードＢ（ｅＮＢ）に送信するための手段と
を備える、装置。
［Ｃ１８］
前記少なくとも１つの干渉信号の前記特性が、ワイヤレス技術の前記タイプに関する情報を備える、Ｃ１７に記載の装置。
［Ｃ１９］
前記送信された情報が、前記少なくとも１つの干渉信号の各々の強度、前記少なくとも１つの干渉信号の各々の周期性、前記少なくとも１つの干渉信号の各々の帯域幅、または前記少なくとも１つの干渉信号の各々の周波数のうちの少なくとも１つをさらに示す、Ｃ１７に記載の装置。
［Ｃ２０］
前記サービングｅＮＢからダウンリンク送信のためのダウンリンク割当てを受信するための手段をさらに備え、ここにおいて、前記ダウンリンク割当てが、前記送信された情報に少なくとも部分的に基づく、Ｃ１７に記載の装置。
［Ｃ２１］
干渉を測定するための構成を受信するための手段をさらに備え、前記構成が、前記送信された情報に基づく、Ｃ１７に記載の装置。
［Ｃ２２］
干渉を測定するための前記構成が、干渉測定リソースを示す無線リソース制御（ＲＲＣ）メッセージ中で受信される、Ｃ２１に記載の装置。
［Ｃ２３］
前記サービングｅＮＢからダウンリンク送信を受信するための手段と、
前記少なくとも１つの干渉信号の各々のための前記決定された特性に基づいて、前記ダウンリンク送信を処理するための手段と
をさらに備える、Ｃ１７に記載の装置。
［Ｃ２４］
ダウンリンク信号を受信するための手段と、前記ダウンリンク信号が、前記サービングｅＮＢからのダウンリンク送信と前記少なくとも１つの干渉信号とを備える、
前記少なくとも１つの干渉信号の各々のための前記決定された特性に基づいて、前記ダウンリンク送信から前記少なくとも１つの干渉信号の干渉を緩和するための手段と
をさらに備える、Ｃ１７に記載の装置。
［Ｃ２５］
ワイヤレス通信のためのコンピュータ実行可能コードを記憶するコンピュータ可読媒体であって、
少なくとも１つの干渉信号を検出することと、
前記少なくとも１つの干渉信号の特性を決定することと、前記特性が、少なくともワイヤレス技術のタイプを含む、
前記少なくとも１つの干渉信号の各々の前記特性を示す情報をサービング発展型ノードＢ（ｅＮＢ）に送信することと
を行うためのコードを備える、コンピュータ可読媒体。
［Ｃ２６］
前記少なくとも１つの干渉信号の前記特性が、ワイヤレス技術の前記タイプに関する情報を備える、Ｃ２５に記載のコンピュータ可読媒体。
［Ｃ２７］
前記送信された情報が、前記少なくとも１つの干渉信号の各々の強度、前記少なくとも１つの干渉信号の各々の周期性、前記少なくとも１つの干渉信号の各々の帯域幅、または前記少なくとも１つの干渉信号の各々の周波数のうちの少なくとも１つをさらに示す、Ｃ２５に記載のコンピュータ可読媒体。
［Ｃ２８］
前記サービングｅＮＢからダウンリンク送信のためのダウンリンク割当てを受信するためのコードをさらに備え、ここにおいて、前記ダウンリンク割当てが、前記送信された情報に少なくとも部分的に基づく、Ｃ２５に記載のコンピュータ可読媒体。
［Ｃ２９］
干渉を測定するための構成を受信するためのコードをさらに備え、前記構成が、前記送信された情報に基づく、Ｃ２５に記載のコンピュータ可読媒体。
［Ｃ３０］
干渉を測定するための前記構成が、干渉測定リソースを示す無線リソース制御（ＲＲＣ）メッセージ中で受信される、Ｃ２９に記載のコンピュータ可読媒体。
［Ｃ３１］
前記サービングｅＮＢからダウンリンク送信を受信することと、
前記少なくとも１つの干渉信号の各々のための前記決定された特性に基づいて、前記ダウンリンク送信を処理することと
を行うためのコードをさらに備える、Ｃ２５に記載のコンピュータ可読媒体。
［Ｃ３２］
ダウンリンク信号を受信することと、前記ダウンリンク信号が、前記サービングｅＮＢからのダウンリンク送信と前記少なくとも１つの干渉信号とを備える、
前記少なくとも１つの干渉信号の各々のための前記決定された特性に基づいて、前記ダウンリンク送信から前記少なくとも１つの干渉信号の干渉を緩和することと
を行うためのコードをさらに備える、Ｃ２５に記載のコンピュータ可読媒体。
［Ｃ３３］
発展型ノードＢ（ｅＮＢ）のワイヤレス通信の方法であって、
ユーザ機器（ＵＥ）から、前記ＵＥの少なくとも１つの干渉信号の各々の特性を示す情報を受信することと、前記特性が、少なくともワイヤレス技術のタイプを含む、
前記少なくとも１つの干渉信号の各々の前記特性を示す前記受信された情報に少なくとも部分的に基づいて、前記ＵＥに情報を送ることと
を備える、方法。
［Ｃ３４］
前記送られる情報が、前記少なくとも１つの干渉信号を緩和するためのダウンリンク送信のためのダウンリンク割当てを備える、Ｃ３３に記載の方法。
［Ｃ３５］
前記送られる情報が、前記ＵＥによる干渉測定のための構成を備える、Ｃ３３に記載の方法。
［Ｃ３６］
前記少なくとも１つの干渉信号が前記ｅＮＢに知られていない、Ｃ３３に記載の方法。
［Ｃ３７］
前記少なくとも１つの干渉信号がＬＴＥ無認可信号を備える、Ｃ３３に記載の方法。
［Ｃ３８］
前記少なくとも１つの干渉信号がＷｉ−Ｆｉ信号を備える、Ｃ３３に記載の方法。
［Ｃ３９］
前記少なくとも１つの干渉信号の各々の前記特性を示す前記受信された情報に少なくとも部分的に基づいて、ダウンリンク送信の競合ウィンドウを調整することをさらに備える、Ｃ３３に記載の方法。
［Ｃ４０］
ワイヤレス通信のための装置であって、
メモリと、
前記メモリに結合された少なくとも１つのプロセッサと
を備え、前記少なくとも１つのプロセッサは、
ユーザ機器（ＵＥ）から、前記ＵＥの少なくとも１つの干渉信号の各々の特性を示す情報を受信することと、前記特性が、少なくともワイヤレス技術のタイプを含む、
前記少なくとも１つの干渉信号の各々の前記特性を示す前記受信された情報に基づいて、前記ＵＥに情報を送ることと
を行うように構成された、装置。
［Ｃ４１］
前記送られる情報が、少なくとも１つの干渉信号を緩和するためのダウンリンク送信のためのダウンリンク割当てを備える、Ｃ４０に記載の装置。
［Ｃ４２］
前記送られる情報が、前記ＵＥによる干渉測定のための構成を備える、Ｃ４０に記載の装置。
［Ｃ４３］
前記少なくとも１つの干渉信号が前記装置に知られていない、Ｃ４０に記載の装置。
［Ｃ４４］
前記少なくとも１つの干渉信号がＬＴＥ無認可信号を備える、Ｃ４０に記載の装置。
［Ｃ４５］
前記少なくとも１つの干渉信号がＷｉ−Ｆｉ信号を備える、Ｃ４０に記載の装置。
［Ｃ４６］
前記少なくとも１つのプロセッサが、前記少なくとも１つの干渉信号の各々の前記特性を示す前記受信された情報に少なくとも部分的に基づいて、ダウンリンク送信の競合ウィンドウを調整するようにさらに構成された、Ｃ４０に記載の装置。
［Ｃ４７］
ワイヤレス通信のための装置であって、
ユーザ機器（ＵＥ）から、前記ＵＥの少なくとも１つの干渉信号の各々の特性を示す情報を受信するための手段と、前記特性が、少なくともワイヤレス技術のタイプを含む、
前記少なくとも１つの干渉信号の各々の前記特性を示す前記受信された情報に少なくとも部分的に基づいて、前記ＵＥに情報を送るための手段と
を備える、装置。
［Ｃ４８］
前記送られる情報が、前記少なくとも１つの干渉信号を緩和するためのダウンリンク送信のためのダウンリンク割当てを備える、Ｃ４７に記載の装置。
［Ｃ４９］
前記送られる情報が、前記ＵＥによる干渉測定のための構成を備える、Ｃ４７に記載の装置。
［Ｃ５０］
前記少なくとも１つの干渉信号が前記装置に知られていない、Ｃ４７に記載の装置。
［Ｃ５１］
前記少なくとも１つの干渉信号がＬＴＥ無認可信号を備える、Ｃ４７に記載の装置。
［Ｃ５２］
前記少なくとも１つの干渉信号がＷｉ−Ｆｉ信号を備える、Ｃ４７に記載の装置。
［Ｃ５３］
前記少なくとも１つの干渉信号の各々の前記特性を示す前記受信された情報に少なくとも部分的に基づいて、ダウンリンク送信の競合ウィンドウを調整するための手段をさらに備える、Ｃ４７に記載の装置。
［Ｃ５４］
ワイヤレス通信のためのコンピュータ実行可能コードを記憶するコンピュータ可読媒体であって、
ユーザ機器（ＵＥ）から、前記ＵＥの少なくとも１つの干渉信号の各々の特性を示す情報を受信することと、前記特性が、少なくともワイヤレス技術のタイプを含む、
前記少なくとも１つの干渉信号の各々の前記特性を示す前記受信された情報に少なくとも部分的に基づいて、前記ＵＥに情報を送ることと
を行うためのコードを備える、コンピュータ可読媒体。
［Ｃ５５］
前記送られる情報が、前記少なくとも１つの干渉信号を緩和するためのダウンリンク送信のためのダウンリンク割当てを備える、Ｃ５４に記載のコンピュータ可読媒体。
［Ｃ５６］
前記送られる情報が、前記ＵＥによる干渉測定のための構成を備える、Ｃ５４に記載のコンピュータ可読媒体。
［Ｃ５７］
前記少なくとも１つの干渉信号がＬＴＥ無認可信号を備える、Ｃ５４に記載のコンピュータ可読媒体。
［Ｃ５８］
前記少なくとも１つの干渉信号がＷｉ−Ｆｉ信号を備える、Ｃ５４に記載のコンピュータ可読媒体。
［Ｃ５９］
前記少なくとも１つの干渉信号の各々の前記特性を示す前記受信された情報に少なくとも部分的に基づいて、ダウンリンク送信の競合ウィンドウを調整するためのコードをさらに備える、Ｃ５４に記載のコンピュータ可読媒体。
【図１】
0006686009.tif 000002
【図２】
0006686009.tif 000003
【図３】
0006686009.tif 000004
【図４】
0006686009.tif 000005
【図５】
0006686009.tif 000006
【図６】
0006686009.tif 000007
【図７】
0006686009.tif 000008
【図８】
0006686009.tif 000009
【図９】
0006686009.tif 000010
【図１０】
0006686009.tif 000011
【図１１】
0006686009.tif 000012
【図１２】
0006686009.tif 000013
【図１３】
0006686009.tif 000014